(57)【要約】【課題】  従来の小型、薄型バッテリーパックにおいては、溝や凹みなどをバッテリーパックに設け、充電器等の電池取付部にそれに対応した突起、溝等を設け引掛ける等の構造をとって固定していたが、その構造分バッテリーパックが大きくなるなど不具合が有り、バッテリーパック自体に固定する為の構造を持たずに充電器等の機器側にバッテリーパック固定用の突起を設け、バッテリーパックの稜線に引掛け固定することが出来、従来のバッテリーパック取付けの構造に比べよりスペースを確保する事等を目的とする。【解決手段】  バッテリーパックに固定用の構造を有せず、装置のバッテリーパック装着部にのみ固定用の構造を有し、バッテリーパックを固定することが可能であることを特徴とし、バッテリーパックの大きさを従来よりも小型にすることが可能となることや、バッテリーパックを取付けて使用する機器のバッテリーパック取付けや固定の為の構造を最小限にする事が出来小型化や、見た目の向上を可能とするバッテリーパック装着装置の提供。【選択図】        図３
2006114281.tif 000002
【特許請求の範囲】
【請求項１】
バッテリーパックを取付けて使用する装置と該装置に取付けるバッテリーパックの装着装置であって、
バッテリーパックに固定用の構造を有せず、装置のバッテリーパック装着部にのみ固定用の構造を有し、バッテリーパックを固定することが可能であることを特徴とするバッテリーパック装着装置。
【請求項２】
バッテリーパックを取付けて使用する装置と該装置に取付けるバッテリーパックの装着装置であって、
バッテリーパックに固定用の構造を有せず、装置のバッテリーパック装着部にのみ固定用の構造を有し、その固定用の構造が別部材に拠らすに構成され、バッテリーパックを固定することが可能であることを特徴とするバッテリーパック装着装置。
【請求項３】
前記固定用の構造がバッテリーパックの稜部にて嵌合することを特徴とする請求項１又は請求項２記載のバッテリーパック装着装置。
【発明の詳細な説明】
【技術分野】
【０００１】
本発明は、機器へのバッテリーパック装着装置に関するものである。
【背景技術】
【０００２】
従来の小型、薄型バッテリーパックにおいては、溝や凹みなどをバッテリーパックに設け、充電器等の機器側のバッテリーパック取付け部にそれに対応した突起等を設け引掛ける等の構造をとっていた。しかし近年の機器の小型化が非常に進みバッテリーパックを取付ける構造の分バッテリーが大きくなり、バッテリーパックを取付けて使用する機器側もその分大きくなるなどといった不具合があった。
【０００３】
これらを解決する為に、弾性体で作られ、電池ロック時に機器本体の穴部から突出する爪部を有し、バッテリーパックロック操作部材の移動方向にスライドするスライド部材が、スライド時に機器本体に設けた突起に乗り上げることで爪部を機器本体内に退避させてロック解除を行う構造として、弾性を有する１部材で電池ロック機構を構成したものがある（特許文献１参照）。
【０００４】
しかしながら、バッテリーパックロック部材が本体に退避する分のスペースが必要で有ったり、弾性体の可動部に隙間があり、異物がバッテリーパックを取付け使用する機器内へ入る恐れがある等の不具合が解消されていなかった。
【０００５】
本発明によるバッテリーパックの取付け構造に拠れば、バッテリーパック自身に取付けのための構造を持たせず、充電器などの機器側のバッテリーパック取付け部にバッテリーパック固定用の突起を設け、バッテリーパックの稜線部分に引掛け軽圧入する事で固定をする事ができスペースを確保する事が可能となり、機器の小型化を測る事が可能となる。
【特許文献１】特開平６−２０６６７号公報
【発明の開示】
【発明が解決しようとする課題】
【０００６】
従来の小型、薄型バッテリーパックにおいては、溝や凹みなどをバッテリーパックに設け、充電器等の電池取付部にそれに対応した突起、溝等を設け引掛ける等の構造をとって固定していたが、その構造分バッテリーパックが大きくなるなど不具合が有った。
【０００７】
本発明は、上記問題に鑑み、バッテリーパック自体に固定する為の構造を持たずに充電器等の機器側にバッテリーパック固定用の突起を設け、バッテリーパックの稜線に引掛け固定することが出来、従来のバッテリーパック取付けの構造に比べよりスペースを確保する事等ができるバッテリーパック装着装置を提供することを目的とする。
【課題を解決するための手段】
【０００８】
前記目的を達成するために、本発明によるバッテリーパック装着装置には
バッテリーパックには取付け、固定の為の構造を設けず、バッテリーパックを装着する機器側にのみバッテリーパックを固定する為の構造を持ち、バッテリーパックを装着、固定可能とすること、また機器側のバッテリーパック取付け部のバッテリーパック固定の為の構造を別部材に拠らず構成する手段を有する。
【０００９】
本発明によるバッテリーパック装着装置によれば、
バッテリーパックに取付けや固定の為の構造を持たずにバッテリーパックの大きさを従来よりも小型にすることが可能となることや、バッテリーパックを取付けて使用する機器のバッテリーパック取付けや固定の為の構造を最小限にする事が出来、小型化や見た目の向上を可能とし、よりよい機器を提供することが出来る。
【００１０】
なお、さらに説明すれば、本発明の第一の発明について下記のように示す。
【００１１】
（１）バッテリーパックを取付けて使用する装置と該装置に取付けるバッテリーパックの装着装置であって、
バッテリーパックに固定用の構造を有せず、装置のバッテリーパック装着部にのみ固定用の構造を有し、バッテリーパックを固定することが可能であることを特徴とするバッテリーパック装着装置。
【発明の効果】
【００１２】
本発明に拠れば
従来の小型、薄型バッテリーパックにおいては、溝や凹みなどをバッテリーパックに設け、充電器等の電池取付部にそれに対応した突起、溝等を設け引掛ける等の構造をとって固定していたが、その構造分バッテリーパックが大きくなるなど不具合が有った。
【００１３】
本発明は、上記問題に鑑み、バッテリーパック自体に固定する為の構造を持たずに充電器等の機器側にバッテリーパック固定用の突起を設け、バッテリーパックの稜線に引掛け固定することが出来、従来のバッテリーパック装着装置に比べよりスペースを確保する事等が可能となる。
【発明を実施するための最良の形態】
【００１４】
以下本発明を実施するための最良の形態を、実施例により詳しく説明する。
【実施例】
【００１５】
図１は従来のバッテリーパックと充電器を示す外観図であり、充電器１にバッテリーパック２を取付け使用する。充電器１のバッテリーパック取付け部３にバッテリーパック２を取付けて使用するが、充電器１とバッテリーパック２には取付けの為のレール部４と溝部５を有する。
【００１６】
図２は充電器１とバッテリーパック２の三面図であり、バッテリーパック２を充電器１に取付ける為のレール部４や溝部５の分構造が複雑で大きさもその分だけ大きくなっている。
【００１７】
図３は本実施例の外観を示す図であり、充電器３１にバッテリーパック３２を取付け使用する。充電器３１にはバッテリーパック３２を固定する為の凸部３３ａ、３３ｂ、３３ｃ、３３ｄ、３３ｅ、３３ｆを有する。
【００１８】
図４は充電器３１のみの外観を示す図であり、バッテリーパック取付け部４１に凸部３３ａ、３３ｂ、３３ｃ、３３ｄ、３３ｅ、３３ｆを設けてある。この凸部３３ａ、３３ｂ、３３ｃ、３３ｄ、３３ｅ、３３ｆをバッテリーパック３２を取付け、固定の為に使用する。
【００１９】
図５は本発明の充電器を正面から見た図、また図６及び図７は充電器３１のバッテリーパック３２取付け部４１部分の断面を示す図であり、凸部３３ａ、３３ｂ、３３ｃ、３３ｄ、３３ｅ、３３ｆをバッテリーパック３２の稜線部６１に軽勘合する位置に設け、バッテリーパック３２を取付けた後その状態を維持する事が可能となる。
【００２０】
このように、充電器３１のバッテリーパック３２の取付け部４１に凸部３３ａ、３３ｂ、３３ｃ、３３ｄ、３３ｅ、３３ｆを設ける事で、バッテリーパック３２には取付けと固定の為の特別な構造を設けずに、充電器３１に確実に取付けと固定可能となる。
【００２１】
また、本実施例では凸部を６箇所として説明してきたが必要に応じて増減させても同様の効果が得られる。
【００２２】
さらに、バッテリーパック３２の取付け方向も長手方向に挿入する形であっても同様の効果が得られる。
【図面の簡単な説明】
【００２３】
【図１】従来のバッテリーパックと充電器を示す外観図
【図２】従来のバッテリーパックと充電器を示す三面図
【図３】本発明の外観を示す図
【図４】本発明の充電器の外観図
【図５】本発明の充電器の正面図
【図６】本発明の充電器のバッテリーパック取付け部の断面図
【図７】本発明の充電器のバッテリーパック取付け部の断面図
【符号の説明】
【００２４】
１  充電器
２  バッテリーパック
３  バッテリーパック取付け部
４  レール部
５  溝部
３１  充電器
３２  バッテリーパック
３３ａ  凸部
３３ｂ  凸部
３３ｃ  凸部
３３ｄ  凸部
３３ｅ  凸部
３３ｆ  凸部
４１  バッテリーパック取付け部
６１  稜線部
【図１】
2006114281.tif 000003
【図２】
2006114281.tif 000004
【図３】
2006114281.tif 000005
【図４】
2006114281.tif 000006
【図５】
2006114281.tif 000007
【図６】
2006114281.tif 000008
【図７】
2006114281.tif 000009